(57)【特許請求の範囲】
【請求項１】
撮像により得られたＲＡＷデータの現像処理を含む画像処理を実行する画像処理部と、前記ＲＡＷデータを保存可能な保存部と、を備えた複数の画像処理装置と、
前記複数の画像処理装置のそれぞれの処理能力、及び処理対象の前記ＲＡＷデータの保存場所に応じて、処理対象の前記ＲＡＷデータに対して画像処理を実行する前記画像処理装置を選択する選択部と、処理対象の前記ＲＡＷデータが前記選択部によって選択された前記画像処理装置に保存されていない場合、処理対象の前記ＲＡＷデータが保存された前記画像処理装置から前記選択部によって選択された前記画像処理装置に処理対象の前記ＲＡＷデータを転送させる転送部と、を備えた情報処理装置と、
を含む画像処理システム。
【請求項３】
前記複数の画像処理装置の各々は、撮像部を備えた撮像装置であり、
前記ＲＡＷデータは、前記撮像部による撮像により得られたＲＡＷデータである請求項１に記載の画像処理システム。
【請求項４】
前記選択部は、前記処理能力に応じて画像処理を実行する前記画像処理装置を決定した後、決定した前記画像処理装置の前記保存部に前記処理対象の前記ＲＡＷデータが保存されている場合は、当該画像処理装置を選択し、決定した前記画像処理装置の前記保存部に前記処理対象の前記ＲＡＷデータが保存されていない場合は、前記複数の画像処理装置のうち、画像処理に要する時間及び前記ＲＡＷデータを転送する時間を含む時間が短い画像処理装置を選択する請求項１または請求項３に記載の画像処理システム。
【請求項５】
前記情報処理装置は、
前記選択部により選択された画像処理装置を表す情報を表示部に表示する制御を行う制御部と、
前記表示部に表示された画像処理装置に対して画像処理の実行の指示を受け付ける受付部と、
を更に備えた請求項１、請求項３、請求項４の何れか１項に記載の画像処理システム。
【請求項６】
前記情報処理装置は、
前記選択部により選択された画像処理装置の処理能力を表示部に表示する制御を行う表示制御部を更に備えた請求項１、請求項３〜請求項５の何れか１項に記載の画像処理システム。
【請求項７】
撮像により得られたＲＡＷデータの現像処理を含む画像処理を実行する画像処理部と、前記ＲＡＷデータを保存可能な保存部とを備えた複数の画像処理装置と、処理対象の前記ＲＡＷデータを選択する処理を行う情報処理装置とを含む画像処理システムによる画像処理方法であって、
前記複数の画像処理装置の前記画像処理部のそれぞれの処理能力、及び処理対象の前記ＲＡＷデータの保存場所に応じて、処理対象の前記ＲＡＷデータに対して画像処理を実行する前記画像処理装置を選択し、
処理対象の前記ＲＡＷデータが選択された前記画像処理装置に保存されていない場合、処理対象の前記ＲＡＷデータが保存された前記画像処理装置から選択された前記画像処理装置に処理対象の前記ＲＡＷデータを転送させ、
選択した画像処理装置に、前記現像処理を実行させる、
画像処理方法。
【請求項８】
撮像により得られたＲＡＷデータの現像処理を含む画像処理を実行する画像処理部と、前記ＲＡＷデータを保存可能な保存部と、を備えた複数の画像処理装置の前記画像処理部のそれぞれの処理能力、及び処理対象の前記ＲＡＷデータの保存場所に応じて、処理対象の前記ＲＡＷデータに対して画像処理を実行する前記画像処理装置を選択する選択部と、
処理対象の前記ＲＡＷデータが前記選択部によって選択された前記画像処理装置に保存されていない場合、処理対象の前記ＲＡＷデータが保存された前記画像処理装置から前記選択部によって選択された前記画像処理装置に処理対象の前記ＲＡＷデータを転送させる転送部と、
前記選択部により選択された画像処理装置に、前記現像処理を実行させる実行部と、
を備えた情報処理装置。
【発明の詳細な説明】
【技術分野】
【０００１】
本開示は、画像処理システム、画像処理方法、及び情報処理装置に関する。
【背景技術】
【０００２】
特開２００７-１４２５５１号公報では、制御部と、複数のＲＡＷ画像データを記録した第１記録部と、画像処理装置に通信を行う通信部と、を備えたコンピュータに関するプログラムが提案されている。詳細には、制御部が少なくとも１つの画像処理装置を検出し、該検出した各画像処理装置をそれぞれ端末装置として認識する。また、制御部が端末装置の性能に関する性能データをそれぞれ取得して性能テーブルを生成し、性能テーブルに基づいて、各々の端末装置により実行される現像処理の配分を規定したスケジュールテーブルを生成する。そして、スケジュールテーブルに基づいて、制御部がＲＡＷ画像データおよび現像処理の命令データを各端末装置にそれぞれ送信する。【０００３】
また、特開２０１５-０３２８９０号公報では、メモリと、撮像部と、画像処理部と、通信部と、を備えた撮像装置が提案されている。詳細には、撮像部は、撮像処理によりＲＡＷデータを生成し、メモリは、ＲＡＷデータの現像処理に用いられる現像パラメータの設定操作を受け付ける現像インターフェースを外部機器の表示部に表示するために必要なインターフェース情報を記憶する。また、通信部は、インターフェース情報をパーソナルコンピュータに送信し、パーソナルコンピュータにおいて設定された現像パラメータをパーソナルコンピュータから取得する。そして、画像処理部は、通信部が取得した現像パラメータに基づいて、ＲＡＷデータに対して現像処理を行い、表示用の現像データを生成する。
【先行技術文献】
【特許文献】
【０００４】
【特許文献１】特開２００７-１４２５５１号公報
【特許文献２】特開２０１５-０３２８９０号公報
【発明の概要】
【発明が解決しようとする課題】
【０００５】
特開２００７-１４２５５１号公報のように、複数の画像処理装置としての撮像装置が、現像制御アプリケーションがインストールされたパーソナルコンピュータ等の情報処理装置に接続されている場合、画像処理装置に現像処理を実行させることにより、現像時間の短縮化が図れる。【０００６】
しかしながら、現像前のＲＡＷデータは、通常は撮像装置等の画像処理装置側に存在する場合が多いが、情報処理装置側に存在する場合もあり、この場合には、現像処理のために、情報処理装置から画像処理装置へＲＡＷデータを転送する必要がある。また、処理対象のＲＡＷデータが現像処理を実行する画像処理装置以外の画像処理装置に存在する場合も、現像処理を実行する画像処理装置に情報処理装置を介してＲＡＷデータを転送する必要がある。ＲＡＷデータの転送には比較的多くの時間を要する場合があり、ＲＡＷデータの転送（転送時間、及び転送回数等）を抑制するためには、改善の余地がある。【０００７】
本開示は、上記事実を考慮して成されたもので、ＲＡＷデータの転送を抑制して画像処理を迅速に行うことが可能な画像処理システム、画像処理方法、及び情報処理装置を提供することを目的とする。
【課題を解決するための手段】
【０００８】
本開示の画像処理システムは、撮像により得られたＲＡＷデータの現像処理を含む画像処理を実行する画像処理部と、ＲＡＷデータを保存可能な保存部と、を備えた複数の画像処理装置と、複数の画像処理装置のそれぞれの処理能力、及び処理対象のＲＡＷデータの保存場所に応じて、処理対象のＲＡＷデータに対して画像処理を実行する画像処理装置を選択する選択部を備えた情報処理装置と、を含む。【０００９】
また、本開示の画像処理システムは、情報処理装置が、処理対象のＲＡＷデータが選択部によって選択された画像処理装置に保存されていない場合、処理対象のＲＡＷデータが保存された画像処理装置から選択部によって選択された画像処理装置に処理対象のＲＡＷデータを転送させる転送部を更に備えていてもよい。【００１０】
また、本開示の画像処理システムは、複数の画像処理装置の各々が、撮像部を備えた撮像装置であり、ＲＡＷデータが、撮像部による撮像により得られたＲＡＷデータであってもよい。【００１１】
また、本開示の画像処理システムは、選択部が、処理能力に応じて画像処理を実行する画像処理装置を決定した後、決定した画像処理装置の保存部に処理対象のＲＡＷデータが保存されている場合は、当該画像処理装置を選択し、決定した画像処理装置の保存部に処理対象のＲＡＷデータが保存されていない場合は、複数の画像処理装置のうち、画像処理に要する時間及びＲＡＷデータを転送する時間を含む時間が短い画像処理装置を選択してもよい。【００１２】
また、本開示の画像処理システムは、情報処理装置が、選択部により選択された画像処理装置を表す情報を表示部に表示する制御を行う制御部と、表示部に表示された画像処理装置に対して画像処理の実行の指示を受け付ける受付部と、を更に備えていてもよい。【００１３】
また、本開示の画像処理システムは、情報処理装置が、選択部により選択された画像処理装置の処理能力を表示部に表示する制御を行う表示制御部を更に備えていてもよい。【００１４】
本開示の画像処理方法は、撮像により得られたＲＡＷデータの現像処理を含む画像処理を実行する画像処理部と、ＲＡＷデータを保存可能な保存部とを備えた複数の画像処理装置と、処理対象のＲＡＷデータを選択する処理を行う情報処理装置とを含む画像処理システムによる画像処理方法であって、複数の画像処理装置の画像処理部のそれぞれの処理能力、及び処理対象のＲＡＷデータの保存場所に応じて、処理対象のＲＡＷデータに対して画像処理を実行する画像処理装置を選択し、選択した画像処理装置に、現像処理を実行させるものである。【００１５】
本開示の情報処理装置は、撮像により得られたＲＡＷデータの現像処理を含む画像処理を実行する画像処理部と、ＲＡＷデータを保存可能な保存部と、を備えた複数の画像処理装置の画像処理部のそれぞれの処理能力、及び処理対象のＲＡＷデータの保存場所に応じて、処理対象のＲＡＷデータに対して画像処理を実行する画像処理装置を選択する選択部と、選択部により選択された画像処理装置に、現像処理を実行させる実行部と、を備えている。
【発明の効果】
【００１６】
本開示によれば、ＲＡＷデータの転送を抑制して画像処理を迅速に行うことが可能となる。
【図面の簡単な説明】
【００１７】
【図１】本実施形態に係る画像処理システムの構成の一例を示すブロック図である。
【図２】本実施形態に係る撮像装置のハードウェア構成の一例を示すブロック図である。
【図３】本実施形態に係る情報処理装置のハードウェア構成の一例を示すブロック図である。
【図４】本実施形態に係る処理性能テーブルの一例を示す図である。
【図５】本実施形態に係る通信速度テーブルの一例を示す図である。
【図６】本実施形態に係る情報処理装置の機能的な構成の一例を示すブロック図である。
【図７】本実施形態に係る現像処理の一例を示すフローチャートである。
【発明を実施するための形態】
【００１８】
以下、図面を参照して、本開示の技術を実施するための形態例を詳細に説明する。
【００１９】
まず、図１を参照して、本実施形態に係る画像処理システム１０の構成を説明する。図１に示すように、画像処理システム１０は、複数（図１の例では、３台）の撮像装置１２及び１台の情報処理装置１４を含む。各撮像装置１２は、有線通信及び無線通信の少なくとも一方により情報処理装置１４に接続される。なお、撮像装置１２の台数は、３台に限定されず、２台でもよいし、４台以上でもよい。撮像装置１２は、画像処理装置の一例である。また、撮像装置１２の例としてはデジタルカメラ、撮像機能を内蔵したスマートフォン、タブレットコンピュータ等が挙げられる。また、情報処理装置１４の例としてはパーソナルコンピュータ等の汎用のコンピュータの他、専用のコンピュータ等が挙げられる。
【００２０】
次に、図２を参照して、本実施形態に係る撮像装置１２のハードウェア構成を説明する。図２に示すように、撮像装置１２は、ハードウェアプロセッサの一例であるＣＰＵ（Central Processing Unit）２０、一時記憶領域としてのメモリ２１、フラッシュメモリ等の不揮発性の記憶部２２、撮像部２３、及び画像処理部２４を含む。また、撮像装置１２は、液晶ディスプレイ等の表示部２５と、ダイヤル、レリーズボタン、十字キー、ＭＥＮＵキー、及びタッチパネル等の入力部２６と、情報処理装置１４に接続される外部Ｉ／Ｆ（InterFace）２７とを含む。また、撮像装置１２は、電力供給部２８及びリチウムイオンバッテリー等の内蔵電池２９を含む。ＣＰＵ２０、メモリ２１、記憶部２２、撮像部２３、画像処理部２４、表示部２５、入力部２６、外部Ｉ／Ｆ２７、及び電力供給部２８は、バス３０で相互に接続される。なお、内蔵電池２９は、リチウムイオンバッテリーに限定されず、一次電池でもよいし、リチウムイオンバッテリー以外の二次電池でもよい。
【００２１】
撮像部２３は、ＣＣＤ（Charge Coupled Device）やＣＭＯＳ（Complementary Metal Oxide Semiconductor）イメージセンサ等の撮像素子を含み、撮像により得られたＲＡＷデータを出力する。撮像部２３より出力されたＲＡＷデータは、保存部としての記憶部２２に保存される。ＲＡＷデータとは、ＪＰＥＧ（Joint Photographic Experts Group）形式又はＴＩＦＦ（Tagged Image File Format）形式等の画像データに変換するための画像処理を経ていないデータを表す。
【００２２】
画像処理部２４は、撮像部２３による撮像により得られたＲＡＷデータの現像処理を含む画像処理を実行する。本実施形態に係る画像処理部２４は、画像処理専用に設計された半導体集積回路等のハードウェアにより実現される。画像処理部２４は、ＲＡＷデータに対して現像処理を含む画像処理を実行することによって画像データを生成し、生成した画像データを記憶部２２に記憶する。
【００２３】
電力供給部２８は、撮像装置１２がＡＣ（Alternating Current）−ＤＣ（Direct Current）電源等の外部電源に接続されている場合、外部電源から供給される電力を、電力により駆動する撮像装置１２の各構成部品に供給する。また、電力供給部２８は、撮像装置１２が外部電源に未接続の場合、内蔵電池２９から供給される電力を、電力により駆動する撮像装置１２の各構成部品に供給する。なお、外部電源は、ＡＣ−ＤＣ電源に限定されず、例えば、撮像装置１２と接続することによって撮像装置１２に電力を供給可能な情報処理装置でもよい。
【００２４】
次に、図３を参照して、本実施形態に係る情報処理装置１４のハードウェア構成を説明する。図３に示すように、情報処理装置１４は、ＣＰＵ４０、一時記憶領域としてのメモリ４１、及び不揮発性の記憶部４２を含む。また、情報処理装置１４は、液晶ディスプレイ等の表示部４３、キーボードとマウス等の入力部４４、撮像装置１２が接続される外部Ｉ／Ｆ４５、及びネットワークに接続されるネットワークＩ／Ｆ４６を含む。ＣＰＵ４０、メモリ４１、記憶部４２、表示部４３、入力部４４、外部Ｉ／Ｆ４５、及びネットワークＩ／Ｆ４６は、バス４７に接続される。
【００２５】
記憶部４２は、ＨＤＤ（Hard Disk Drive）、ＳＳＤ（Solid State Drive）、及びフラッシュメモリ等の非一時的記憶媒体によって実現される。記憶媒体としての記憶部４２には、情報処理プログラム５０が記憶される。ＣＰＵ４０は、記憶部４２から情報処理プログラム５０を読み出してからメモリ４１に展開し、展開した情報処理プログラム５０を実行する。
【００２６】
また、記憶部４２には、処理性能テーブル５２及び通信速度テーブル５４が記憶される。図４に、処理性能テーブル５２の一例を示す。図４に示すように、本実施形態に係る処理性能テーブル５２には、撮像装置１２の機種毎の処理性能が記憶される。図５に、通信速度テーブル５４の一例を示す。図５に示すように、本実施形態に係る通信速度テーブル５４には、通信方式毎の通信速度が記憶される。なお、図５では、一例として、無線通信及び有線通信の通信形態からなる通信方式から決定した通信速度を定めた例を示すが、これに限るものではない。例えば、通信プロトコルの種類毎に通信速度を定めたテーブルを適用してもよい。或いは、通信形態と通信プロトコル毎に通信速度を定めたテーブルを適用してもよい。
【００２７】
次に、図６を参照して、本実施形態に係る情報処理装置１４の機能的な構成について説明する。図６に示すように、情報処理装置１４は、取得部６０、導出部６２、受付部６６、選択部６８、実行部７０、表示制御部６４、及び画像取得部７２を含む。情報処理装置１４のＣＰＵ４０が情報処理プログラム５０を実行することによって、取得部６０、導出部６２、受付部６６、選択部６８、実行部７０、表示制御部６４、及び画像取得部７２として機能する。
【００２８】
取得部６０は、各撮像装置１２の画像処理部２４の処理能力を導出するために、各撮像装置１２の機種を表す機種情報を取得する。例えば、撮像装置１２が接続された際に、撮像装置１２の機種を表す機種情報を取得する。また、取得部６０は、各撮像装置１２との通信速度を導出するために、各撮像装置１２との通信の種類に関する種類情報を取得する。例えば、撮像装置１２が接続された際の通信方式を取得する。詳細には、ＵＳＢ（Universal Serial Bus）等の有線接続、及び近距離通信等の各種無線通信の方式などの通信方式を取得する。
【００２９】
導出部６２は、取得部６０により取得された機種情報に応じて、各撮像装置１２におけるＲＡＷデータの現像処理の処理能力を導出する。また、導出部６２は、取得部６０により取得された通信の種類情報に応じて、各撮像装置１２との通信速度を導出する。詳細には、導出部６２は、処理能力については処理性能テーブル５２を参照し、その撮像装置１２の機種に対応する画像処理の処理能力を導出する。また、導出部６２は、通信速度については通信速度テーブル５４を参照し、その撮像装置１２との通信方式に対応する通信速度を導出する。
【００３０】
受付部６６は、ユーザにより入力部４４を介して入力された現像処理の対象とするＲＡＷデータを表す情報、及び現像パラメータを受け付ける。また、受付部６６は、表示部４３に表示された撮像装置１２に対する、画像処理の実行等の指示を受け付ける。
【００３１】
選択部６８は、対象のＲＡＷデータを現像パラメータに従って処理するために必要な画像処理の処理能力と、各撮像装置１２の画像処理部２４の処理能力とに応じて、画像処理を行う撮像装置１２を決定する。また、選択部６８は、決定した撮像装置１２に処理対象のＲＡＷデータが存在しない場合は、画像処理部２４の処理能力、及び処理対象のＲＡＷデータの保存場所に応じて撮像装置１２を選択する。詳細には、処理能力として画像処理に要する時間を求め、保存場所としてＲＡＷデータを転送する時間を求める。そして、複数の撮像装置１２のうち、画像処理に要する時間及びＲＡＷデータを転送する時間を含む時間が短い画像処理装置を選択する。
【００３２】
実行部７０は、選択部６８により選択された撮像装置１２に、ＲＡＷデータの現像処理を実行させる。このとき、実行部７０は、処理能力に従って決定した撮像装置１２に対象のＲＡＷデータが存在しない場合は、選択部６８によって選択された撮像装置１２に対象のＲＡＷデータを転送させた後に、現像処理を実行させる。
【００３３】
表示制御部６４は、各撮像装置１２の画像処理部２４の処理能力を表示部４３に表示する制御を行う。また、表示制御部６４は制御部に対応し、選択部６８によって選択された撮像装置１２を表す情報を表示部４３に表示する制御を行う。また、表示制御部６４は、後述する画像取得部７２により取得された画像データが示す画像を表示部４３に表示する制御を行う。
【００３４】
画像取得部７２は、撮像装置１２による現像処理を含む画像処理により得られた画像データを、画像処理の実行元の撮像装置１２から、外部Ｉ／Ｆ４５を介して取得する。
【００３５】
次に、図７を参照して、本実施形態に係る画像処理システム１０の作用、及び、画像処理方法を説明する。情報処理装置１４のＣＰＵ４０が情報処理プログラム５０を実行することによって、図７に示す現像処理が実行される。
【００３６】
図７に示す現像処理は、例えば、ユーザにより入力部４４を介して、現像処理の対象とするＲＡＷデータを表す情報、及び現像パラメータが入力された場合に実行される。なお、本実施形態では、現像処理の対象とするＲＡＷデータは、各撮像装置１２の記憶部２２及び情報処理装置１４の記憶部４２の少なくとも１つに記憶されている。また、現像パラメータには、例えば、ダイナミックレンジ、ホワイトバランス、及びシャープネス等の画質に関するパラメータと、ＪＰＥＧ及びＴＩＦＦ等の現像処理後の画像データのフォーマットなどが含まれる。
【００３７】
ステップ１００では、受付部６６が、ユーザにより入力部４４を介して入力された現像処理の対象とするＲＡＷデータを表す情報、及び現像パラメータを受け付けてステップ１０２へ移行する。
【００３８】
ステップ１０２では、取得部６０が、撮像装置１２の機種情報を取得してステップ１０４へ移行する。
【００３９】
ステップ１０４では、導出部６２が、撮像装置１２の機種情報から処理性能テーブル５２を参照して処理能力を導出してステップ１０６へ移行する。ここで、表示制御部６４が、導出部６２によって導出された各撮像装置１２の処理能力を表示部４３に表示してもよい。
【００４０】
ステップ１０６では、選択部６８が、対象のＲＡＷデータを現像パラメータに従って処理するために必要な画像処理の処理能力と、各撮像装置１２の画像処理部２４の処理能力とに応じて、画像処理を行う撮像装置１２を決定し、ステップ１０８へ移行する。また、表示制御部６４が、選択部６８によって決定された撮像装置１２を表示部４３に表示する表示制御を行ってもよい。
【００４１】
ステップ１０８では、選択部６８が、決定先の撮像装置１２に処理対象のＲＡＷデータが存在するか否かを判定する。該判定が肯定された場合にはステップ１１０へ移行し、否定された場合にはステップ１１２へ移行する。
【００４２】
ステップ１１０では、実行部７０が、ステップ１０６の処理により決定された撮像装置１２に、ステップ１００で受け付けたＲＡＷデータの現像処理を、ステップ１００で受け付けた現像パラメータを用いて実行させてステップ１２０へ移行する。すなわち、実行部７０は、決定された撮像装置１２にＲＡＷデータが保存されているため、その撮像装置１２に現像処理を実行させる。
【００４３】
一方、ステップ１１２では、取得部６０が、各撮像装置１２との通信方式を取得してステップ１１４へ移行する。
【００４４】
ステップ１１４では、導出部６２が、ステップ１１２で取得した通信方式から通信速度テーブル５４を参照して通信速度を導出してステップ１１６へ移行する。ここで、表示制御部６４が、導出部６２によって導出された各撮像装置１２の通信速度を表示部４３に表示する表示制御を行ってもよい。
【００４５】
ステップ１１６では、選択部６８が、各撮像装置１２の処理能力と、転送速度とに基づいて現像先を選択してステップ１１８へ移行する。すなわち、選択部６８は、決定した撮像装置１２に処理対象のＲＡＷデータが存在しない場合は、複数の撮像装置１２のうち、画像処理に要する時間及びＲＡＷデータを転送する時間を含む時間が短い画像処理装置を選択する。
【００４６】
ステップ１１８では、実行部７０が、ステップ１１６で選択された撮像装置１２に、ステップ１００で受け付けたＲＡＷデータの現像処理を、ステップ１００で受け付けられた現像パラメータを用いて実行させてステップ１２０へ移行する。すなわち、実行部７０は、ステップ１０６で決定した撮像装置１２にＲＡＷデータが保存されていない場合は、ステップ１１６で選択された撮像装置１２にＲＡＷデータを転送させた後に、現像処理を実行させる。
【００４７】
ステップ１２０では、画像取得部７２が、撮像装置１２による現像処理を含む画像処理により得られた画像データを、画像処理の実行元の撮像装置１２から、外部Ｉ／Ｆ４５を介して取得してステップ１２２へ移行する。
【００４８】
ステップ１２２では、表示制御部６４が、ステップ１２０で取得された画像データが示す画像を表示部４３に表示する制御を行って一連の処理を終了する。
【００４９】
以上説明したように、本実施形態によれば、撮像装置１２の処理能力、及び処理対象のＲＡＷデータの保存場所に応じて、処理対象のＲＡＷデータに対して画像処理を実行する撮像装置１２を選択している。これにより、ＲＡＷデータの転送を抑制して画像処理を迅速に行うことが可能となる。
【００５０】
なお、上記各実施形態では、ＲＡＷデータの現像処理を含む画像処理を実行する画像処理装置として、撮像装置を適用した場合について説明したが、これに限定されない。ＲＡＷデータの現像処理を含む画像処理を実行する画像処理装置として、画像処理部２４を有する撮像装置以外の装置を適用してもよい。例えば、撮像部を備えていない画像処理装置または情報処理装置を適用してもよい。
【００５１】
また、上記各実施形態でＣＰＵがソフトウェア（プログラム）を実行することにより実行した各種処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、上記各種処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より詳細には、半導体素子等の回路素子を組み合わせた電気回路である。
【００５２】
また、上記各実施形態では、情報処理プログラム５０が記憶部４２に予め記憶（インストール）されている態様を説明したが、これに限定されない。情報処理プログラム５０は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の非一時的記録媒体に記録された形態で提供されてもよい。また、情報処理プログラム５０は、ネットワークを介して外部装置からダウンロードされる形態としてもよい。
【００５３】
また、上記の実施形態及び変形例で説明したフローチャートで示す各処理は一例である。従って、不要なステップを削除したり、新たなステップを追加したり、処理順序を入れ替えたりしてもよい。
【００５４】
その他、上記の実施形態で説明した画像処理システムの構成、動作等は一例であり、状況に応じて変更可能である。
【００５５】
本願は２０１８年６月２９日出願の日本出願第２０１８−１２５１３１号の優先権を主張すると共に、その全文を参照により本明細書に援用する。
【図１】
0006829346.tif 000002
【図２】
0006829346.tif 000003
【図３】
0006829346.tif 000004
【図４】
0006829346.tif 000005
【図５】
0006829346.tif 000006
【図６】
0006829346.tif 000007
【図７】
0006829346.tif 000008